(57)【要約】  【課題】  現在時刻を考慮して番組情報を提供する番組情報提供装置を提供する。  【解決手段】  通信部１０２と、通信部１０２を通じて番組情報を番組情報提供サーバ１０１から取得する番組情報取得部１０３と、現在時刻を取得する現在時刻取得部１０５と、番組情報取得部１０３によって取得された番組情報を記憶する番組情報記憶部１０４と、現在時刻取得部１０５によって取得された現在時刻に基づいて、番組情報記憶部１０４に記憶されている番組情報の中から表示対象を決定する表示内容決定部１０６と、表示内容決定部１０６によって表示対象とされた番組情報の所定項目を表示する情報表示部１０７と、を備える番組情報提供装置。【選択図】      図１
2005252970.tif 000002
【特許請求の範囲】
【請求項１】
番組情報を外部から取得する番組情報取得手段と、
現在時刻を取得する現在時刻取得手段と、
前記番組情報取得手段によって取得された番組情報を記憶する番組情報記憶手段と、
前記現在時刻取得手段によって取得された現在時刻に基づいて、前記番組情報記憶手段に記憶されている番組情報の中から報知対象を決定する報知内容決定手段と、
前記報知内容決定手段によって報知対象とされた番組情報の所定項目を報知する報知手段と、
を備えることを特徴とする番組情報提供装置。
【請求項２】
前記番組情報取得手段は、前記現在時刻取得手段によって取得された現在時刻が所定の時刻である場合に番組情報を外部から取得する請求項１に記載の番組情報提供装置。
【請求項３】
前記報知内容決定手段は、前記現在時刻取得手段によって取得された現在時刻から一定時間以内に放送される番組の番組情報及び／又は前記現在時刻取得手段によって取得された現在時刻以後に放送される一定数の番組の番組情報を報知対象とする請求項１または請求項２に記載の番組情報提供装置。
【請求項４】
ユーザの興味や嗜好等に関する情報を記憶するユーザプロファイル記憶手段を備え、
前記番組情報取得手段は、前記ユーザプロファイル記憶手段によって記憶されている情報に基づいて、番組情報を外部から取得する請求項１〜３のいずれかに記載の番組情報提供装置。
【請求項５】
ユーザの興味や嗜好等に関する情報を記憶するユーザプロファイル記憶手段を備え、
前記報知内容決定手段は、前記現在時刻取得手段によって取得された現在時刻と前記ユーザプロファイル記憶手段によって記憶されている情報とに基づいて、前記番組情報記憶手段に記憶されている番組情報の中から報知対象を決定する請求項１〜４のいずれかに記載の番組情報提供装置。
【請求項６】
番組の放送内容を受信する放送受信手段を備え、
前記報知内容決定手段は、報知対象として決定した番組情報の番組が前記現在時刻取得手段によって取得された現在時刻において放送されている番組であれば、その番組の放送内容を前記放送受信手段に受信させ、その受信した放送内容を前記報知手段に表示させる請求項１〜５のいずれかに記載の番組情報提供装置。
【請求項７】
外部の機器の状況等に関する情報である機器情報を前記外部の機器から取得する機器情報取得手段と、前記機器情報取得手段によって取得された機器情報を記憶する機器情報記憶手段と、を備え、
前記報知内容決定手段は、前記現在時刻取得手段によって取得された現在時刻に基づいて、前記番組情報記憶手段に記憶されている番組情報と前記機器情報記憶手段に記憶されている機器情報の中から報知対象を決定し、
前記報知手段は、前記報知内容決定手段によって報知対象とされた番組情報の所定項目と前記報知内容決定手段によって報知対象とされた機器情報の所定項目とを報知する請求項１〜６のいずれかに記載の番組情報提供装置。
【請求項８】
前記報知内容決定手段によって決定された報知対象の中から少なくとも一つの情報を選択する情報選択手段と、前記情報選択手段によって選択された情報に関連する動作のリストを抽出する関連動作抽出手段と、を備え、
前記報知手段は、前記関連動作抽出手段によって抽出されたリストを報知する請求項１〜７のいずれかに記載の番組情報提供装置。
【請求項９】
関連動作実行手段を備え、
前記情報選択手段は、前記関連動作抽出手段によって抽出されたリストに含まれる動作の中から一つの動作を選択し、
前記関連動作実行手段は、前記情報選択手段によって選択された動作を自ら実行する並びに／又は前記報知手段及び／若しくは前記外部の機器に実行させる請求項８に記載の番組情報提供装置。
【請求項１０】
前記報知内容決定手段によって報知対象とされた番組情報の詳細を順次切り替えて前記報知手段に報知させる自動情報報知手段を備える請求項１〜９のいずれかに記載の番組情報提供装置。
【請求項１１】
番組情報を提供するためにコンピュータを、
番組情報を外部から取得する番組情報取得手段、
現在時刻を取得する現在時刻取得手段、
前記番組情報取得手段によって取得された番組情報を記憶する番組情報記憶手段、
前記現在時刻取得手段によって取得された現在時刻に基づいて、前記番組情報記憶手段に記憶されている番組情報の中から報知対象を決定する報知内容決定手段、及び
前記報知内容決定手段によって報知対象とされた番組情報の所定項目を報知する報知手段、
として機能させるための番組情報提供プログラム。
【発明の詳細な説明】
【技術分野】
【０００１】
本発明は、番組情報をユーザに知らせる番組情報提供装置に関する。
【背景技術】
【０００２】
従来、ユーザは、所望の番組を視聴或いは録画するために、新聞や雑誌などに掲載された番組表から目的の番組を探し出し、番組開始時間に合わせて視聴、又はリモコンなどの入力装置を用いて、番組開始時間やチャンネル番号などを入力若しくはGコードを入力するなどの操作によって録画予約を行っていた。
【０００３】
しかし、近年、ＣＡＴＶやデジタル放送などによって、放送されるテレビのチャンネル数は膨大な量になっている。地上波デジタル放送のサービスが本格的に始まると、さらに多チャンネル化になるため、ユーザは従来の方法で所望の番組を見つけ出すのに多大な時間を消費したり、所望の番組があってもそれを見落としてしまうおそれがある。また、所望の番組を見つけることができても、その番組を予約しようとした場合、その操作の煩わしさのために、視聴者が番組を予約するのをあきらめてしまう場合もある。また、放送時間にリアルタイムで視聴する予定にしていても、番組開始時間には忘れてしまい、見逃してしまうこともある。
【０００４】
上記問題点を解決するために、ユーザによって入力された文字を検索キーにしてネットワークを介して電子番組表に含まれる番組情報の検索を行い、その検索で得られる番組情報を表示する番組情報検索装置がある（例えば、特許文献１参照）。
【０００５】
また、事前にユーザの好み等のキーワードを番組情報提供者側で登録しておき、番組情報提供者側がそのキーワードにより検索された放送番組情報に係る情報を電子メールでユーザに送付する番組情報提供サービスもある（例えば、特許文献２の段落０００５参照）。さらに、事前にユーザの好み等のキーワードを番組情報提供者側で登録しておき、番組情報提供者側がそのキーワードにより検索された放送番組情報に係る情報を電子メールでユーザ側の番組視聴装置に送付し、その番組視聴装置が前記電子メールと電子番組表との結合を自動的に行う番組情報提供システムもある（例えば、特許文献２の段落００１０参照）。
【特許文献１】特開２００３−１１０９６０号公報
【特許文献２】特開２００３−８７６７７号公報
【発明の開示】
【発明が解決しようとする課題】
【０００６】
しかしながら、上記番組情報検索装置では、ユーザ自身がキーワードを入力しなければ、番組情報を取得することができなかった。
【０００７】
また、上記番組情報提供サービスでは、あまりに頻繁に電子メールが送られてくると、ユーザはメールを確認することが煩わしく感じるかもしれず、逆に、送られている電子メールがあまりに少なすぎても、ユーザが所望の番組の情報を得られないかもしれない。
【０００８】
また、上記番組情報検索装置、上記番組情報提供サービス、或いは上記番組情報提供システムでは、ユーザが電子番組表又は電子メールを確認したときには、その確認した情報に含まれる番組がすでに放送された後で全く役に立たない場合があった。
【０００９】
本発明は、上記の問題点に鑑み、現在時刻を考慮して番組情報を提供する番組情報提供装置及び番組情報提供プログラムを提供することを目的とする。
【課題を解決するための手段】
【００１０】
上記目的を達成するために本発明に係る番組情報提供装置は、番組情報を外部から取得する番組情報取得手段と、現在時刻を取得する現在時刻取得手段と、前記番組情報取得手段によって取得された番組情報を記憶する番組情報記憶手段と、前記現在時刻取得手段によって取得された現在時刻に基づいて、前記番組情報記憶手段に記憶されている番組情報の中から報知対象を決定する報知内容決定手段と、前記報知内容決定手段によって報知対象とされた番組情報の所定項目を報知する報知手段と、を備える構成である。
【００１１】
上記構成の番組情報提供装置を利用するユーザは、現在時刻に基づいて報知される番組情報を得ることができるので、ユーザが番組情報を確認したときにはその確認した情報に含まれる番組がすでに放送された後で全く役に立たない等の問題が解消される。また、報知の方法としては、一般に表示を採用するとよいが、報知内容の一部又は全部を表示以外の報知方法（例えば、音声報知など）によって報知してもよい。
【００１２】
また、前記番組情報取得手段が、前記現在時刻取得手段によって取得された現在時刻が所定の時刻である場合に番組情報を外部から取得するようにしてもよい。これにより、ユーザが番組情報の取得を要求しなくても番組情報提供装置が自動的に番組情報を取得するので、利便性が向上する。
【００１３】
また、前記報知内容決定手段が、前記現在時刻取得手段によって取得された現在時刻から一定時間以内に放送される番組の番組情報及び／又は前記現在時刻取得手段によって取得された現在時刻以後に放送される一定数の番組の番組情報を報知対象とするようにしてもよい。ユーザは、本来なら膨大な数の番組情報の中から所望の番組を探さなければならないが、ユーザが得たい情報はある程度近い将来に放送される番組の番組情報であることが多いので、上述のように現在時刻から一定時間以内に放送される番組の番組情報及び／又は現在時刻以後に放送される一定数の番組の番組情報に報知対象を限定することによって、ユーザは所望の番組を容易に見つけることができる。
【００１４】
また、さらにユーザの興味や嗜好等に関する情報を記憶するユーザプロファイル記憶手段を備え、前記番組情報取得手段が、前記ユーザプロファイル記憶手段によって記憶されている情報に基づいて、番組情報を外部から取得するようにしてもよい。これにより、番組情報提供者側から莫大な数の番組情報が提供されても、ユーザが興味を持つ可能性の高い番組情報だけを取得するので、番組情報記憶手段において記憶する情報量を少なくすることができる。
【００１５】
また、さらにユーザの興味や嗜好等に関する情報を記憶するユーザプロファイル記憶手段を備え、前記報知内容決定手段が、前記現在時刻取得手段によって取得された現在時刻と前記ユーザプロファイル記憶手段によって記憶されている情報とに基づいて、前記番組情報記憶手段に記憶されている番組情報の中から報知対象を決定するようにしてもよい。これにより、ユーザが興味を持つ可能性の高い番組情報だけが報知されるので、ユーザは所望の番組を容易に見つけることができる。
【００１６】
また、さらに番組の放送内容を受信する放送受信手段を備え、前記報知内容決定手段が、報知対象として決定した番組情報の番組が前記現在時刻取得手段によって取得された現在時刻において放送されている番組であれば、その番組の放送内容を前記放送受信手段に受信させ、その受信した放送内容を前記報知手段に表示させるようにしてもよい。これにより、ユーザは複雑な操作をしなくても、番組情報の特定項目が報知される番組を観ることができる。
【００１７】
また、さらに外部の機器の状況等に関する情報である機器情報を前記外部の機器から取得する機器情報取得手段と、前記機器情報取得手段によって取得された機器情報を記憶する機器情報記憶手段と、を備え、前記報知内容決定手段が、前記現在時刻取得手段によって取得された現在時刻に基づいて、前記番組情報記憶手段に記憶されている番組情報と前記機器情報記憶手段に記憶されている機器情報の中から報知対象を決定し、前記報知手段が、前記報知内容決定手段によって報知対象とされた番組情報の所定項目と前記報知内容決定手段によって報知対象とされた機器情報の所定項目とを報知するようにしてもよい。これにより、ユーザは、外部の機器の状況等に関する情報（例えば、ＨＤＤレコーダーの予約状況など）を容易に認識することができる。
【００１８】
また、さらに前記報知内容決定手段によって決定された報知対象の中から少なくとも一つの情報を選択する情報選択手段と、前記情報選択手段によって選択された情報に関連する動作のリストを抽出する関連動作抽出手段と、を備え、前記報知手段が、前記関連動作抽出手段によって抽出されたリストを報知するようにしてもよい。これにより、ユーザは複雑な操作をしなくても、所望の情報に関連する動作のリストを容易に認識することができる。
【００１９】
また、さらに関連動作実行手段を備え、前記情報選択手段が、前記関連動作抽出手段によって抽出されたリストに含まれる動作の中から一つの動作を選択し、前記関連動作実行手段が、前記情報選択手段によって選択された動作を自ら実行する並びに／又は前記報知手段及び／若しくは前記外部の機器に実行させるようにしてもよい。これにより、ユーザは複雑な操作をしなくても、所望の情報に関連する動作のリストから所望の動作を番組情報提供装置や外部の機器に行わせることができる。
【００２０】
また、さらに前記報知内容決定手段によって報知対象とされた番組情報の詳細を順次切り替えて前記報知手段に報知させる自動情報報知手段を備えるようにしてもよい。これにより、ユーザは複雑な操作をしなくても、報知対象である情報の詳細を認識することができる。
【００２１】
また、上記目的を達成するために本発明に係る番組情報提供プログラムは、番組情報を提供するためにコンピュータを、番組情報を外部から取得する番組情報取得手段、現在時刻を取得する現在時刻取得手段、前記番組情報取得手段によって取得された番組情報を記憶する番組情報記憶手段、前記現在時刻取得手段によって取得された現在時刻に基づいて、前記番組情報記憶手段に記憶されている番組情報の中から報知対象を決定する報知内容決定手段、及び前記報知内容決定手段によって報知対象とされた番組情報の所定項目を報知する報知手段、として機能させる。
【００２２】
上記番組情報提供プログラムを汎用コンピュータで実行することにより、上述した番組情報提供装置を実現することができる。
【発明の効果】
【００２３】
本発明によると、現在時刻を考慮して番組情報を提供する番組情報提供装置及び番組情報提供プログラムを実現することができる。
【発明を実施するための最良の形態】
【００２４】
本発明の一実施形態について図面を参照して以下に説明する。
【００２５】
（第一実施形態）
本発明の第一実施形態に係る番組情報提供装置を含む番組情報提供システムの構成を図１に示す。図１に示す番組情報提供システムは、ユーザに映像や番組属性など様々な情報を提供する情報源である番組情報提供サーバ１０１と、番組情報提供サーバ１０１から情報を受け取る本発明の第一実施形態に係る番組情報提供装置１００（以下、番組情報提供装置１００という）とを有している。
【００２６】
番組情報提供装置１００は、インターネット等のネットワーク２００を介して、番組情報提供サーバ１０１と接続される。番組情報提供装置１００は、番組情報提供サーバ１０１から提供される番組情報及び外部から提供される現在時刻の情報などをネットワーク２００を介して受信する通信部１０２と、通信部１０２が受信した番組情報を取得する番組情報取得部１０３と、番組情報取得部１０３において取得された番組情報を記憶する番組情報記憶部１０４と、通信部１０２が受信した現在時刻の情報を取得する現在時刻取得部１０５と、現在時刻取得部１０５において取得された現在時刻に基づいて番組情報記憶部１０４において記憶されている番組情報の中から表示内容を決定する表示内容決定部１０６と、表示内容決定部１０６において決定された番組情報を表示する情報表示部１０７とを有している。なお、現在時刻取得部１０５は通信部１０２を通して外部から現在時刻の情報を取得しているが、番組情報提供装置１００が時計部或いはタイマー部を内蔵し、それらを参照して現在時刻取得部が現在時刻を取得する態様にしても構わない。
【００２７】
ここで、番組情報取得部１０３が行う処理を図２に示すフローチャートを参照して説明する。
【００２８】
ステップ（以下、Ｓという）２０１において、番組情報取得部１０３は、通信部１０２が番組情報提供サーバ１０１から新規の電子メールを受信したか否かを判定する。そして、通信部１０２が新規の電子メールを受信した場合（Ｓ２０１のＹＥＳ）はＳ２０２に進み、通信部１０２が新規の電子メールを受信しなかった場合（Ｓ２０１のＮＯ）はＳ２０５に進む。
【００２９】
Ｓ２０２では、番組情報取得部１０３は、通信部１０２が受信した電子メールの内容を解析し、番組情報を含むか否かを判定する。そして、電子メールが番組情報を含んでいる場合（Ｓ２０２のＹＥＳ）はＳ２０３に進み、電子メールが番組情報を含んでいない場合（Ｓ２０２のＮＯ）はＳ２０５に進む。
【００３０】
Ｓ２０３では、番組情報取得部１０３は、電子メールの内容から番組情報を取得して、Ｓ２０４へ進む。
【００３１】
Ｓ２０５では、番組情報取得部１０３は、現在時刻取得部１０５によって取得された現在時刻が番組情報を取得する時刻であるか否かを判定する。そして、現在時刻が番組情報を取得する時刻である場合（Ｓ２０５のＹＥＳ）はＳ２０６へ進み、現在時刻が番組情報を取得する時刻でない場合（Ｓ２０５のＮＯ）はＳ２０１に移行する。
【００３２】
Ｓ２０６では、番組情報取得部１０３は、通信部１０２を通じて番組情報提供サーバ１０１に対して番組情報の提供を要求し、その要求に応じて番組情報提供サーバ１０１が発信した番組情報を通信部１０２を通じて取得し、Ｓ２０４へ進む。
【００３３】
Ｓ２０４では、番組情報取得部１０３は、Ｓ２０３或いはＳ２０６において取得した番組情報を番組情報記憶部１０４に記憶させ、Ｓ２０１に移行する。
【００３４】
なお、図２のフローチャートでは、Ｓ２０５において、番組情報取得部１０３がある一定時刻に自動的に番組情報を取得するように、現在時刻が番組情報を取得する時間であるか否かを番組情報提供サーバ１０１から番組情報を取得するかどうかの判定基準としているが、番組情報提供サーバ１０１が格納している番組情報が更新されれば、番組情報提供サーバ１０１が番組情報提供装置に電子メールなどを用いてその旨を通知し、番組情報提供装置内の番組情報取得部がその通知に基づいて番組情報提供サーバ１０１から番組情報を取得するようにしてもよく、ユーザから番組情報の表示要求があった際に番組情報提供サーバ１０１から番組情報を取得するようにしてもよい。なお、ユーザからの番組情報の表示要求は、ユーザが番組情報提供装置に設けられたボタンを操作する等の何らかの操作によるものでもよいし、例えば、番組情報提供装置が折り畳み型の携帯機器である場合に、その携帯機器を開いた時点で表示要求がなされたと番組情報取得部が判断するようにしてもよい。
【００３５】
また、番組情報記憶部１０４で記憶される番組情報の属性には、図３に示すように、放送時間、チャンネル番号、番組タイトル、番組が属するジャンル、番組を示すアイコン、出演者、番組概要、及び番組ＵＲＬなどがある。この他、番組情報記憶部１０４には、放送時間、チャンネル番号、番組タイトル、番組ＵＲＬなどの最低限の属性だけ保存しておき、より詳細な情報が必要なときは番組情報取得部１０３が通信部１０２を通じて番組ＵＲＬに接続して随時情報を取得する態様にしてもよい。また、番組情報記憶部１０４が番組の分類を示すキーワードなどの副次的情報を保存する態様にしてもよい。また、電子番組表そのものを記憶する態様にしてもよい。
【００３６】
続いて、表示内容決定部１０６が行う処理を図４に示すフローチャートを参照して説明する。
【００３７】
Ｓ４０１において、表示内容決定部１０６は、ユーザから番組情報の表示要求があったか否かを判定する。そして、表示要求があった場合（Ｓ４０１のＹＥＳ）はＳ４０２へ進み、表示要求がなかった場合（Ｓ４０１のＮＯ）は待ち状態に戻る。
【００３８】
Ｓ４０２では、表示内容決定部１０６は、現在時刻取得部１０５から現在時刻を取得し、Ｓ４０３へ進む。Ｓ４０３では、表示内容決定部１０６は、番組情報記憶部１０４において記憶されている番組情報が最新の情報であるか否かを判定する。この判定は、例えば、通信部１０２を通じて番組情報提供サーバ１０１に対して最新の情報の更新時刻情報を要求し、番組情報提供サーバ１０１から最新の情報の更新時刻情報を送ってもらい、その最新の情報の更新時刻情報と番組情報記憶部１０４において記憶されている番組情報の最終更新時刻情報とを比較することによって判定するとよい。なお、番組情報が更新された旨の電子メールから番組情報を取得していれば、常に最新の情報が番組情報記憶部１０４において記憶されるので、上記Ｓ４０３と後述するＳ４０６を設ける必要性がなくなる。
【００３９】
そして、番組情報記憶部１０４において記憶されている番組情報が最新の情報であると判定された場合（Ｓ４０３のＹＥＳ）はＳ４０４へ進み、番組情報記憶部１０４において記憶されている番組情報が最新の情報でないと判定された場合（Ｓ４０３のＮＯ）はＳ４０６へ進む。
【００４０】
Ｓ４０６では、表示内容決定部１０６は、番組情報取得部１０３に対して通信部１０２を通じて番組情報提供サーバ１０１から番組情報を取得するように促し、番組情報取得部１０３が取得した番組情報を番組情報記憶部１０４に記憶させる。
【００４１】
Ｓ４０４では、表示内容決定部１０６は、番組情報記憶部１０４において記憶されている番組情報の中から、Ｓ４０２で取得した現在時刻に基づいて表示する番組情報を決定し、Ｓ４０５へ進む。
【００４２】
Ｓ４０５では、表示内容決定部１０６は、Ｓ４０４で決定された番組情報を情報表示部１０７へ供給する。Ｓ４０４において表示対象として選択された番組情報を以下お勧め番組情報と呼び、Ｓ４０４において表示対象として選択された番組情報の番組を以下お勧め番組と呼ぶ。
【００４３】
なお、Ｓ４０１におけるユーザからの番組情報の表示要求は、ユーザが番組情報提供装置に設けられたボタンを操作する等の何らかの操作によるものでもよいし、例えば、番組情報提供装置が折り畳み型の携帯機器である場合に、その携帯機器を開いた時点で表示要求がなされたと表示内容決定部が判断するようにしてもよい。
【００４４】
Ｓ４０４では、例えば現在時刻から１２時間内に放送される番組の番組情報をお勧め番組情報として選択する処理などが行われる。また、さらに１２時間先迄に放送される番組すなわち、現在時刻の１２時間後から２４時間後までの間に放送される番組の番組情報をお勧め番組情報として選択する処理を行うようにしてもよい。また、今後の視聴や録画の対象外ではあるが過去の番組にどんなものがあったのか知りたい場合があるので、現在時刻から遡って１２時間内の番組情報をお勧め番組情報として選択する処理が行えるようにしてもよい。また、Ｓ４０４を、現在時刻に関係なく、例えば所望の時間帯など任意の時間帯に放送される番組の番組情報をお勧め番組情報として選択するステップに置換するモードを設けるようにしてもよい。
【００４５】
情報表示部１０７は、お勧め番組情報の特定項目を表示する。例えば、情報表示部１０７は、図５のように、番組情報記憶部１０４で記憶された番組の中で現在時刻から12時間内の番組をアイコン表示して時計の文字盤上にマッピングして表示する、すなわちお勧め番組の放送時間と番組アイコンをマッピング表示する。これにより、ユーザは、どの時間帯にどのようなお勧め番組があるかを一目で認識することができる。この他、図６のようにアイコンの代わりに直接番組名を表示してもよい。また、図７のようにデジタル時計表示と組み合わせて表示してもよいし、図８のようにリスト表示してもよい。また、お勧め番組情報は、本実施形態のように現在時刻から一定時間内の番組情報にしてもよいし、現在時刻以後に放送される一定数の番組情報にしてもよいし、あるいはこれらの組み合わせ（例えば、現在時刻から６時間内の番組情報の全てと現在時刻から６時間以後に放送される一定数の番組情報とをお勧め番組情報とする）でもよい。
【００４６】
さらに、番組情報提供サーバ１０１から番組情報提供装置１００に対して、地震情報や選挙の当選状況などのように臨時的情報が提供された場合、番組情報提供装置１００は電子メールなどを用いてその臨時的情報を受信できるようにし、情報表示部１０７の画面一部に臨時的情報をテロップ表示してもよいし、時計の文字盤上の情報が受信した時刻を示す場所に臨時的情報を吹き出しなどで表示してもよいし、あるいは図９に示すようにこれらの組み合わせでもよい。
【００４７】
また、情報表示部１０７に表示された情報が過去に関する情報であるか、現在に関する情報であるか明示的に区別できるように、色を変えるなど、表示の方法を変えてもよい。また、図５に示すように時計の文字盤上に番組情報をマッピングして表示する場合、図１０に示すように何時から先の情報を表示しているのか明確になるようにしてもよい。このような境目は正確な時刻を明示するようにしてもよく、境目の表示を１時間刻みにしたり番組開始時間または番組終了時間に合わせたりして近似的な時刻を明示するようにしてもよい。
【００４８】
また、番組情報提供装置１００が、さらに番組の放送内容を受信する放送受信部（図示せず）を有し、表示内容決定部１０６が、表示対象として決定した番組情報の番組が現在時刻取得部１０５によって取得された現在時刻において放送されている番組であれば、その番組の放送内容を上記放送受信部に受信させ、その受信した放送内容を情報表示部１０７に表示させるようにしてもよい。これにより、ユーザは複雑な操作をしなくても、番組情報の特定項目が表示される番組を観ることができる。
【００４９】
（第二実施形態）
本発明の第二実施形態に係る番組情報提供装置を含む番組情報提供システムの構成を図１１に示す。なお、図１１において図１と同一の部分には同一の符号を付し詳細な説明を省略する。図１１に示す番組情報提供システムは、番組情報提供サーバ１０１と、番組情報提供サーバ１０１から情報を受け取る本発明の第二実施形態に係る番組情報提供装置１１００（以下、番組情報提供装置１１００という）とを有している。
【００５０】
番組情報提供装置１１００は、図１の番組情報提供装置１００に、ユーザの興味や嗜好等に関する情報を記憶するためのユーザプロファイル記憶部１１０１と、ユーザプロファイルの設定情報を追加および修正するプロファイル入力部１１０２とを新たに加えた構成である。
【００５１】
プロファイル入力部１１０２は、例えばキーボードを用いて、ユーザが興味を持っているキーワードを入力する。この他、カテゴリー別にあらかじめ登録されたキーワードから、興味のあるものをユーザが選択する態様にしてもよい。また、現在閲覧中の番組の番組情報の属性または当該番組情報の中に含まれる副次的な情報または当該番組情報の一部若しくは全部をユーザが選択する態様にしてもよい。さらに、プロファイル入力部１１０２が、バーコードや文字、あるいは電子透かしがプリントされた画像を読取る機能を有する入力装置を具備し、雑誌の紙面などにその掲載内容に関するキーワードなどをバーコード化したバーコードを掲載し、前記入力装置によってバーコードを読取る態様、または紙面に書かれた文字や画像を前記入力装置で読取ってキーワードやカテゴリーを入力する操作に代える態様でもよい。これらの態様を組み合わせてもよい。
【００５２】
また、プロファイル入力部１１０２の形態は、番組情報提供装置１１００本体に接続されたキーボードの他に、番組情報提供装置１１００に設けられたボタン群、ダイアル、キーなどで構成された入力装置であってもよく、番組情報提供装置１１００本体とは別体であるリモートコントローラが送信する赤外線信号を受信する赤外線信号受信部などでもあってもよい。さらに、情報表示部１０７の表示画面に表示されているＧＵＩ（Graphical User Interface）部品を選択することで入力が行われるマウスまたはタッチパネルなどのポインティングデバイスであってもよい。その他、ユーザが行なう操作を信号として入力する装置であれば、その形態を問わない。
【００５３】
ここで、ユーザプロファイル記憶部１１０１に記憶されるユーザプロファイルの一例を図１２に示す。ユーザプロファイルの属性には、キーワード、カテゴリーおよび重要度がある。ユーザはキーボードなどのプロファイル入力部１１０２に対して、興味のあるキーワードを入力し、またそのキーワードがジャンル、出演者、番組名等のどのカテゴリーに属する情報かを入力し、さらにそのキーワードがユーザにとってどれくらい興味が深いかを示す重要度を−１から１の数値で入力する。重要度は本実施形態のように、ユーザが任意の数値を入力できるようにしてもよいし、この他、あらかじめ用意された５段階の数値から選択するようにしてもよい。また、ユーザが関連番組情報を視聴した長さや閲覧回数によって自動的に重要度の数値が変化するようにしてもよい。さらに、プロファイル入力部１１０２がお勧め番組情報の興味一致度を示すことができる機能を有し、ユーザが興味の一致度が低いと判断した番組情報に関するキーワードの重要度を自動的に下げるようにしてもよい。興味一致度は、予め用意された何段階かの評価の中から選択するようにしてもよいし、興味があるかないかのどちらかのみ選択するようにしてもよい。この他、ユーザ自身で興味の一致度合いを表す数値などを入力できるようにしてもよい。
【００５４】
ユーザプロファイル記憶部１１０１の内容は、本実施形態では、プロファイル入力部１１０２によりユーザ自身が設定するようになっているが、この他、ユーザの視聴および録画履歴などからユーザの嗜好を分析して自動的に修正されていく態様でもよく、ネットワークを通じてＨＤＤディスクレコーダーなどの他の機器や他のユーザの端末などに保存されている設定を取得する態様にしてもよく、或いはこれらの組み合わせでもよい。
【００５５】
また、本実施形態ではユーザプロファイル記憶装置１１０１が番組情報提供装置１１００の内部にある構成になっているが、番組情報提供装置１１００の代わりに番組情報提供サーバ１０１がユーザプロファイル記憶部を具備する構成にし、プロファイル入力部１１０２が入力したデータは、通信部１０２からネットワークを介して番組情報提供サーバ１０１に送るようにし、番組情報提供サーバ１０１側でユーザプロファイル記憶部に基づいて番組情報提供装置に供給する番組情報を決めてもよい。このとき、ユーザプロファイルの内容は、ユーザの嗜好に限らず、視聴者の人気ランキングや番組提供側の推薦度合いなど、第三者からの情報であってもよい。
【００５６】
続いて、番組取得部１０３及び表示内容決定部１０６が行う処理を図１３に示すフローチャートを参照して説明する。
【００５７】
Ｓ１３０１において、番組取得部１０３は、番組情報取得部１０５において番組情報を取得する際に、ユーザプロファイル記憶部１１０１に記憶されている情報を参照するか否かを判定する。なお、Ｓ１３０１の判定は、例えばユーザが番組情報提供装置に設けられたボタン等を操作することによって入力された信号に基づく判定にするとよい。そして、ユーザプロファイル記憶部１１０１に記憶されている情報を参照する場合（Ｓ１３０１のＹＥＳ）はＳ１３０２に進み、ユーザプロファイル記憶部１１０１に記憶されている情報を参照しない場合（Ｓ１３０１のＮＯ）はＳ１３０３へ進む。Ｓ１３０２では、番組取得部１０３は、内部パラメータであるＲの値を１に設定し、Ｓ１３０４へ進む。Ｓ１３０３では、番組取得部１０３は、内部パラメータであるＲの値を０に設定してＳ１３０４へ進む。
【００５８】
Ｓ１３０４において、表示内容決定部１０６は、表示内容決定部１０６において表示する情報を選択する際に、ユーザプロファイル記憶部１１０１に記憶されている情報を参照するか否かを判定する。なお、Ｓ１３０４の判定は、例えばユーザが番組情報提供装置に設けられたボタンを操作することによって入力された信号に基づく判定にするとよい。そして、ユーザプロファイル記憶部１１０１に記憶されている情報を参照する場合（Ｓ１３０４のＹＥＳ）はＳ１３０５へ進み、ユーザプロファイル記憶部１１０１に記憶されている情報を参照しない場合（Ｓ１３０４のＮＯ）はＳ１３０６へ進む。Ｓ１３０５では、表示内容決定部１０６は、内部パラメータであるKの値を１に設定してS１３０７へ進む。Ｓ１３０６では、表示内容決定部１０６は、内部パラメータであるKの値を０に設定してＳ１３０７に進む。
【００５９】
Ｓ１３０７では、表示内容決定部１０６は、現在時刻取得部１０５から現在時刻を取得し、Ｓ１３０８へ進む。
【００６０】
Ｓ１３０８では、番組情報取得部１０３は、現在時刻取得部１０５によって取得された現在時刻が番組情報を取得する時刻であるか否かを判定する。そして、現在時刻が番組情報を取得する時刻である場合（Ｓ１３０８のＹＥＳ）はＳ１３０９に進み、現在時刻が番組情報を取得する時刻でない場合（Ｓ１３０８のＮＯ）はＳ１３１２に進む。
【００６１】
Ｓ１３０９において、番組情報取得部１０３は、Rの値が１であるか否かを判定する。そして、Rの値が１の場合（Ｓ１３０９のＹＥＳ）はＳ１３１０に進み、Rの値が０の場合（Ｓ１３０９のＮＯ）はＳ１３１１に進む。
【００６２】
Ｓ１３１０では、番組情報取得部１０３は、ユーザプロファイル記憶部１１０１に記憶されている情報に基づいて、通信部１０２を通じて情報提供サーバ１０１から番組情報を取得して、Ｓ１３１２に進む。Ｓ１３１０の処理が実行されることにより、ユーザが興味を持つ可能性の高い番組情報のみを取得することができる。
【００６３】
Ｓ１３１１では、番組情報取得部１０３は、ユーザプロファイル記憶部１１０１に記憶されている情報を参照せずに、通信部１０２を通じて情報提供サーバ１０１から番組情報を取得して、Ｓ１３１２に進む。Ｓ１３１１の処理が実行されることにより、ユーザが興味を持つ可能性が高いかどうかに関係なく番組情報が取得される。
【００６４】
Ｓ１３１２において、表示内容決定部１０６は、ユーザから番組情報の表示要求があったか否かを判定する。そして、表示要求があった場合（Ｓ１３１２のＹＥＳ）はＳ１３１３に進み、表示要求がなかった場合（Ｓ１３１２のＮＯ）はＳ１３０７に進み待ち状態となる。
【００６５】
Ｓ１３１３では、表示内容決定部１０６は、Kの値が１であるか否かを判定する。そして、Kの値が１である場合（Ｓ１３１３のＹＥＳ）はＳ１３１４に進み、Kの値が０である場合（Ｓ１３１３のＮＯ）はＳ１３１５に進む。
【００６６】
Ｓ１３１４では、表示内容決定部１０６は、番組情報記憶部１０４において記憶されている番組情報の中から、Ｓ１３０７で取得した現在時刻に基づいて表示する候補となる番組情報を選択し、その選択した番組情報の中からさらにユーザプロファイル記憶部１１０１で記憶されている情報に基づいて表示する番組情報を決定し、Ｓ１３１６へ進む。Ｓ１３１４の処理が実行されることにより、ユーザが興味を持つ可能性が高い番組情報のみを表示することができる。
【００６７】
Ｓ１３１５では、表示内容決定部１０６は、番組情報記憶部１０４で記憶されている番組情報の中から、現在時刻にのみ基づいて表示する番組情報を決定し、Ｓ１３１６に進む。
【００６８】
Ｓ１３１６では、表示内容決定部１０６は、Ｓ１３１４またはＳ１３１５で決定された番組情報を情報表示部１０７へ供給する。
【００６９】
番組情報取得部１０３および提示内容決定部１０６において、ユーザプロファイル記憶部１１０１に記憶されている情報を利用する例をあげる。ここで、ユーザプロファイル記憶部１１０１には、図１２で示される情報が記憶されており、番組情報取得部１０３および表示内容決定部１０６いずれにおいても、ユーザプロファイル記憶部１１０１に記憶されている情報を利用するものとする。番組情報取得部１０３では、ユーザプロファイル記憶部１１０１に記憶されている属性のうち、キーワードに着目し、取得する番組情報を決定する。すなわち、図１２において、ユーザプロファイル記憶部１１０１では、「ドラマ」と登録されているため、番組情報提供サーバ１０１に格納されている『ジャンルが「ドラマ」である番組情報』は全て番組情報取得部１０３において取得され、番組情報記憶部１０４において記憶される。
【００７０】
次に表示内容決定部１０６では、各キーワードに割り当てられた重要度に注目する。すなわち、図１２において、ドラマの重要度は０．３となっており、重要度は低いと判断され、表示する番組情報の候補からはずされる。ただし、ジャンルが「ドラマ」である番組情報の出演者に「ＢｏａＢｏａ」が含まれていた場合、「ＢｏａＢｏａ」の優先度は１と重要度がかなり高いので、その番組情報はお勧め番組情報として選択される。
【００７１】
表示内容決定部１０６において、表示内容を決定する他の方法として、番組情報記憶部１０４に同じ時間内に複数の番組情報が存在した場合のみ、ユーザプロファイル記憶部１１０１で記憶されているキーワードの重要度を参照して、番組情報の順番付けをし、重要度の一番高い番組情報をお勧め番組情報として選択するようにしてもよい。このように、番組情報取得部１０３と表示内容決定部１０６の両方でユーザプロファイル記憶部１１０１に記憶されている情報を利用してもよいし、どちらか一方でのみユーザプロファイル部１１０１に記憶されている情報を利用するようにしてもよい。
【００７２】
（第三実施形態）
本発明の第三実施形態に係る番組情報提供装置を含む番組情報提供システムの構成を図１４に示す。なお、図１４において図１１と同一の部分には同一の符号を付し詳細な説明を省略する。図１４に示す番組情報提供システムは、番組情報提供サーバ１０１と、番組情報提供サーバ１０１から情報を受け取る本発明の第三実施形態に係る番組情報提供装置１４００（以下、番組情報提供装置１４００という）とを有している。
【００７３】
番組情報提供装置１４００は、図１１の番組情報提供装置１１００に、他の機器（例えば、HDDレコーダー、ビデオ、DVDレコーダーなど）に設けられた周辺機器情報提供装置１４０３から送信され通信部１０２によって受信された当該他の機器の情報を取得する機器情報取得部１４０１と、機器情報取得部１４０１において取得された機器情報を記憶する機器情報記憶部１４０２とを新たに加えた構成である。表示内容決定部１０６は、現在時刻取得部１０５において取得された現在時刻に基づいて番組情報記憶部１０４において記憶されている番組情報及び機器情報記憶部１４０２に記憶されている機器情報から表示内容を決定する。
【００７４】
続いて、表示内容決定部１０６が行う処理を図１５に示すフローチャートを参照して説明する。Ｓ１５０１において、表示内容決定部１０６は、ユーザから番組情報の表示要求があったか否かを判定する。そして、表示要求があった場合（Ｓ１５０１のＹＥＳ）はＳ１５０２へ進み、表示要求がなかった場合（Ｓ１５０１のＮＯ）は待ち状態となる。
【００７５】
Ｓ１５０２では、表示内容決定部１０６は、現在時刻取得部１０５から現在時刻を取得し、Ｓ１５０３へ進む。
【００７６】
Ｓ１５０３では、表示内容決定部１０６は、番組情報記憶部１０４において記憶されている番組情報が最新の情報であるか否かを判定する。この判定は、例えば、通信部１０２を通じて番組情報提供サーバ１０１に対して最新の情報の更新時刻情報を要求し、番組情報提供サーバ１０１から最新の情報の更新時刻情報を送ってもらい、その最新の情報の更新時刻情報と番組情報記憶部１０４において記憶されている番組情報の最終更新時刻情報とを比較することによって判定するとよい。なお、番組情報が更新された旨の電子メールから番組情報を取得していれば、常に最新の情報が番組情報記憶部１０４において記憶されるので、上記Ｓ１５０３と後述するＳ１５０４を設ける必要性がなくなる。
【００７７】
そして、番組情報記憶部１０４において記憶されている番組情報が最新の情報であると判定された場合（Ｓ１５０３のＹＥＳ）はＳ１５０５へ進み、番組情報記憶部１０４において記憶されている番組情報が最新の情報でないと判定された場合（Ｓ１５０３のＮＯ）はＳ１５０４へ進む。
【００７８】
Ｓ１５０４では、表示内容決定部１０６は、番組情報取得部１０３に対して通信部１０２を通じて情報提供サーバ１０１から番組情報を取得するように促し、番組情報取得部１０３が取得した番組情報を番組情報記憶部１０４に記憶させ、Ｓ１５０５へ進む。
【００７９】
Ｓ１５０５では、表示内容決定部１０６は、機器情報記憶部１４０２において記憶されている機器情報が最新の情報であるか否かを判定する。この判定は、例えば、通信部１０２を通じて外部の機器に対して最新の情報の更新時刻情報を要求し、外部の機器から最新の情報の更新時刻情報を送ってもらい、その最新の情報の更新時刻情報と機器情報記憶部１４０２において記憶されている機器情報の最終更新時刻情報とを比較することによって判定するとよい。そして、機器情報記憶部１４０２において記憶されている機器情報が最新の情報である場合（Ｓ１５０５のＹＥＳ）はＳ１５０７へ進み、機器情報記憶部１４０２において記憶されている機器情報が最新の情報でない場合（Ｓ１５０５のＮＯ）はＳ１５０６へ進む。
【００８０】
Ｓ１５０６では、表示内容決定部１０６は、機器情報取得部１４０１に対して通信部１０２を通じて外部の機器から機器情報を取得するように促し、機器情報取得部１４０１が取得した機器情報を機器情報記憶部１４０２に記憶させ、Ｓ１５０７へ進む。
【００８１】
Ｓ１５０７では、表示内容決定部１０６は、番組情報記憶部１０４において記憶されている番組情報の中からＳ１５０２で取得した現在時刻に基づいて表示する番組情報を決定し、機器情報記憶部１４０２において記憶されている機器情報の中からＳ１５０２で取得した現在時刻に基づいて表示する機器情報を決定し、Ｓ１５０８へ進む。Ｓ１５０８では、表示内容決定部１０６は、Ｓ１５０７で決定された表示内容を情報表示部１０７へ供給する。
【００８２】
本実施形態では、Ｓ１５０３及びＳ１５０５において、表示内容決定部１０６は、ユーザからの情報表示要求があった場合に番組情報提供装置内に記憶されている情報が最新の情報か否かを判定し、最新の情報でなければ常に外部から取得するようにしているが、番組情報取得部１０３および機器情報取得部１４０１において、一定時間毎に自動的に最新情報を取得するようにして、表示内容決定部１０６では番組情報記憶部１０４および機器情報記憶部１４０１において記憶されている情報を参照するだけにしてもよい。また、番組情報提供装置内に現在記憶されている情報が最新の情報であるかを確認せずに、ユーザからの情報表示要求があった場合に常に情報を更新するようにしてもよい。さらに、番組情報取得部１０３および機器情報取得部１４０１において、最終更新日時を記憶しておき、その日時が現在からある一定時間経っていれば、情報を更新するようにしてもよい。
【００８３】
また、本実施形態では、Ｓ１５０７において、表示内容決定部１０６は、現在時刻にのみ基づいて表示内容を決定しているが、ユーザの表示要求内容あるいは番組情報提供サーバ１０１の設定などに基づいて、機器情報を表示するか否かを選択できるようにしてもよい。
【００８４】
機器情報取得部１４０１は、通信部１０２を通じて、例えばHDDレコーダーやDVDレコーダーなど番組を録画できる機器の情報を取得する。このとき、機器情報記憶部１４０２で記憶される機器情報の一例を図１６に示す。機器情報記憶部１４０２は放送時間、チャンネル番号、番組タイトルおよび機器状態を記憶する。ここで、機器状態とは、その番組が過去に録画したものなのか、現在録画中のものなのか、これから放送される番組で録画予約をされているものなのかを示すものである。また、機器情報記憶部１４０２では、番組ＩＤなど最低限の情報のみ記憶しておき、より詳細な情報が必要な場合には、周辺機器情報提供装置１４０３、番組情報提供サーバ１０１あるいは番組情報記憶部１０４から随時情報を取得するようにしてもよい。
【００８５】
また、図１７に、表示内容決定部１０６で表示の対象として選択された番組情報の特定項目すなわちお勧め番組情報の特定項目および表示内容決定部１０６で表示の対象として選択された機器情報の特定項目を情報表示部１０７で表示した一例を示す。
【００８６】
図１７に示す表示例では、お勧め番組情報の特定項目（放送時間及び番組アイコン）と表示内容決定部１０６で表示の対象として選択された機器情報の特定項目（機器状態）とが時計の文字盤上に重畳してマッピングされているが、表示内容決定部１０６で表示の対象として選択された機器情報の特定項目（機器状態）はマッピングされたお勧め番組のアイコンの上に文字で示されている。
【００８７】
この他、お勧め番組情報と表示内容決定部１０６で表示の対象として選択された機器情報で用いる色を変えてお勧め番組情報と表示内容決定部１０６で表示の対象として選択された機器情報とを区別してもよく、時計の文字盤を内側と外側で二分割して、どちらか一方にお勧め番組情報を割り当て、他方に表示内容決定部１０６で表示の対象として選択された機器情報を割り当ててもよい。また、これらを組み合わせてもよい。さらに、どちらか片方に関する情報のみを表示するモードを設けてもよい。
【００８８】
機器情報取得部１４０１において情報を取得する機器の種類は、上述したHDDレコーダーやDVDレコーダーなどの番組を録画できる機器に限らず、例えば、機器情報取得部１４０１が洗濯機や空気調和機の状態情報を取得し、洗濯が何時に終了するかを表示し、あるいは空気調和機のタイマー運転の設定を表示するようしてもよい。
【００８９】
（第四実施形態）
本発明の第四実施形態に係る番組情報提供装置を含む番組情報提供システムの構成を図１８に示す。なお、図１８において図１４と同一の部分には同一の符号を付し詳細な説明を省略する。図１８に示す番組情報提供システムは、番組情報提供サーバ１０１と、番組情報提供サーバ１０１から情報を受け取る本発明の第四実施形態に係る番組情報提供装置１８００（以下、番組情報提供装置１８００という）とを有している。
【００９０】
番組情報提供装置１８００は、図１４の番組情報提供装置１４００に、情報表示部１０７に表示されたお勧め番組情報及び機器情報の中からいずれか一つを選択しかつその選択された情報に関連する動作の中からいずれか一つを選択する情報選択部１８０１と、情報選択部１８０１において選択された情報に関連する動作のリストを抽出する関連動作抽出部１８０２と、情報選択部１８０１によって選択された動作を自ら実行する並びに／又は情報表示部１０７及び／若しくは外部の機器に実行させる関連動作実行部１８０３とを新たに加えた構成である。
【００９１】
続いて、情報表示部１０７、情報選択部１８０１、関連動作抽出部１８０２、及び関連動作実行部１８０３が行う処理を図１９に示すフローチャートを参照して説明する。なお、表示内容決定部１０６が図１５に示すフローチャート動作を行った後、図１９に示すフローチャート動作が開始される。
【００９２】
Ｓ１９０１では、情報表示部１０７は、表示内容決定部１０６から供給される情報の特定項目すなわちお勧め番組情報の特定項目及び表示内容決定部１０６において表示の対象として選ばれた機器情報の特定項目を表示し、Ｓ１９０２へ進む。
【００９３】
Ｓ１９０２では、情報選択部１８０１は、情報表示部１０７によって表示されたお勧め番組情報及び機器情報リストの中からいずれか一つの情報が選択されたか否かを判定する。そして、いずれか一つの情報が選択された場合（Ｓ１９０２のＹＥＳ）はＳ１９０３へ進み、いずれの情報も選択されない場合（Ｓ１９０２のＮＯ）は待ち状態となる。
【００９４】
Ｓ１９０３では、関連動作抽出部１８０２は、Ｓ１９０２において情報選択部１８０１によって選択された情報の条件にあった動作リストを抽出し、Ｓ１９０４へ進む。Ｓ１９０４では、情報表示部１０７は、Ｓ１９０３において関連動作抽出部１８０２によって抽出された動作リストを表示し、Ｓ１９０５へ進む。
【００９５】
Ｓ１９０５では、情報選択部１８０１は、Ｓ１９０４において情報表示部１０７によって表示された動作リストの中から任意の動作が選択されたか否かを判定する。そして、任意の動作が選択された場合（Ｓ１９０５のＹＥＳ）はＳ１９０６へ進み、任意の動作が選択されない場合（Ｓ１９０５のＮＯ）は待ち状態となる。
【００９６】
Ｓ１９０６では、関連動作実行部１８０３は、Ｓ１９０５において選択された動作を自ら実行する及び／又は情報表示部１０７や外部の機器に実行させる。
【００９７】
なお、情報選択部１８０１は、情報表示部１０７によって表示されたお勧め番組情報がユーザの興味に合っていない番組情報であった場合に表示対象から除外できる機能を有していてもよい。
【００９８】
Ｓ１９０４では、情報表示部１０７は、例えば、Ｓ１９０３において関連動作抽出部１８０２によって抽出された動作リストを番組情報がマッピングされた時計の文字盤上に番組情報と重畳して表示する。したがって、Ｓ１９０２において情報選択部１８０１が６時から始まる番組情報を選択した場合、Ｓ１９０４における情報表示部１０７の表示は図２０に示すようになる。この他、完全に表示画面を切り替えて、動作リストのみを表示するようにしてもよい。
【００９９】
図１９に示すフローチャート動作に沿って情報表示部１０７の表示は図２１に示すように変化する。なお、図２１の説明において外部の機器から番組情報提供装置への機器情報の供給はないものとする。
【０１００】
図１９に示すフローチャート動作開始時点では、情報表示部１０７の表示は図２１（ａ）に示すように文字盤上の時計に、表示内容決定部１０６で選択されたお勧め番組を表すアイコンがマッピングされている。そして、図１９に示すフローチャートのＳ１９０４において動作リストの表示処理がなされると、情報表示部１０７の表示は図２１（ｂ）に示すようになる。さらに、図１９に示すフローチャートのＳ１９０５において動作リストの中から動作（ここでは、「携帯で視聴」という動作）が選択されると、情報表示部１０７の表示は図２１（ｃ）に示すようになる。Ｓ１９０６において、動作関連実行部１８０３がテレビ機能を起動してテレビ映像を情報表示部１０７に送ると、情報表示部１０７の表示は図２１（ｄ）に示すように放送番組を表示する。
【０１０１】
また、図９に示すように、臨時的情報を受信し、その情報を示す吹き出しが表示された場合には、情報選択部１８０２がその情報を選択できるようにしてもよい。また、情報が選択されると、情報表示部１０７の表示画面一部に詳細情報がテロップ表示されるようにしてもよい。
【０１０２】
ここで、情報選択部１８０１の一実施態様及びＳ１９０２のおける情報選択部１８０１の操作方法について説明する。情報選択部１８０１を上下キーおよび決定ボタンを含む例えばキーボードのような入力手段を有する。上下キーによってフォーカスが変更する。より具体的には、上キーがユーザによって押下されると時間軸上に並べた際に一つ前の番組にあたる情報にフォーカスが変更し、下キーがユーザによって押下されると時間軸上に並べた際に次の番組にあたる情報にフォーカスを変更する。すなわち、図２０に示す情報表示部１０７の表示例において、現在２１時５分から放送を開始する「花金洋画シアター」にフォーカスがあたっているとする。このとき上キーがユーザによって押下されると放送開始時間が１８時である「夢の音楽館」に、下キーがユーザによって押下されると放送開始時間が２時であるニュース番組にフォーカスが移動する。さらに、決定ボタンがユーザによって押下されると、情報選択部１８０１はそのときフォーカスがあたっていた番組情報が選択されたと判定する。そして、Ｓ１９０４において、当該番組情報に関連のある動作リストが表示される。
【０１０３】
上記実施態様では、上下キーによるフォーカスの移動は番組単位になっているが、フォーカス移動は1時間単位など時間単位で移動できるようにしてもよい。このとき、番組情報がマッピングされていない時間にフォーカスをあてた状態で決定ボタンがユーザによって押下された場合は、何も選択できないように設定してもよく、番組情報記憶部１０４に記憶されている番組情報の中から、表示対象にはならなかったが選択された時間に放送予定の番組情報を検索して表示するようにしてもよい。また、フォーカスを変更する手段として、上下キー以外に上下左右キーを用いてもよい。この場合、今フォーカスが当たっている番組情報よりも右に移りたい場合は右キーを、上の番組情報にフォーカスをあてたい場合は上キーを押す、というように、上下キーだけで操作するよりも、感覚的に操作できる。さらに、タッチパネルなどのポインティングデバイスを用いて選択が行われてもよい。情報選択部１８０１の形態は、その他、ユーザが行う操作に基づいて信号を生成し、その信号に基づいてＳ１９０２及びＳ１９０５の判定を行うことができる手段であれば、その形態を問わない。
【０１０４】
さらに、Ｓ１９０２において、情報選択部１８０１によって所望の情報が選択されたか否かが判定されるが、その判定基準として、選択ボタンがユーザによって押下されるなどの明示的な選択が成されたか否かによる判定基準以外に、上下キーなどにより、フォーカスがあたった時点でそのフォーカスがあたった情報が選択されたと判定するような判定基準を採用してもよい。また、フォーカスがあたった時点では、そのフォーカスがあたった情報の詳細（例えば、番組のタイトル、概要など）を表示し、選択ボタンがユーザによって押下されると、所望の情報が選択されたと判定してもよい。
【０１０５】
続いて、図１９に示すフローチャートのＳ１９０３において関連動作抽出部１８０２が動作リストを抽出する処理について図２２のフローチャートを参照して説明する。
【０１０６】
情報選択部１８０１から関連動作抽出部１８０２に対して動作リスト抽出要求がなされると、図２２のフローチャートが開始される。Ｓ２２０１では、関連動作抽出部１８０２は、図１９に示すフローチャートのＳ１９０２における選択結果を情報選択部１８０１から受け取り、その選択結果を認識し、Ｓ２２０２へ進む。
【０１０７】
Ｓ２２０２では、関連動作抽出部１８０２は、図１９に示すフローチャートのＳ１９０２において情報選択部１８０１によって選択された情報がお勧め番組情報であるか機器情報であるかを判定する。そして、Ｓ１９０２において情報選択部１８０１によって選択された情報がお勧め番組情報であると判定された場合はＳ２２０３へ進み、Ｓ１９０２において情報選択部１８０１によって選択された情報が機器情報であると判定された場合はＳ２２０６へ進む。
【０１０８】
Ｓ２２０３では、関連動作抽出部１８０２は、情報選択部１８０１によって選択されたお勧め番組情報の放送開始時間を番組情報記憶部１０４から取得し、その放送開始時間が現在時刻取得部１０５によって取得された現在時刻から１時間以内であるか否かを判定する。そして、情報選択部１８０１によって選択されたお勧め番組情報の放送開始時間が現在時刻から１時間以内である場合（Ｓ２２０３のＹＥＳ）はＳ２２０４へ進み、情報選択部１８０１によって選択されたお勧め番組情報の放送開始時間が現在時刻から１時間以内でない場合（Ｓ２２０３のＮＯ）はＳ２２０５へ進む。
【０１０９】
Ｓ２２０６では、関連動作抽出部１８０２は、情報選択部１８０１によって選択された機器情報の時間属性を機器情報記憶部１４０２から取得し、現在時刻取得部１０５によって取得された現在時刻に基づいてその時間属性が未来であるか、現在であるか、あるいは過去であるかを判定する。そして、情報選択部１８０１によって選択された機器情報の時間属性が未来であればＳ２２０７へ進み、情報選択部１８０１によって選択された機器情報の時間属性が現在であればＳ２２０８へ進み、情報選択部１８０１によって選択された機器情報の時間属性が過去であればＳ２２０９へ進む。Ｓ２２０４、Ｓ２２０５、Ｓ２２０７、Ｓ２２０８、及びＳ２２０９では、それぞれの条件にあった動作リストを抽出する。
【０１１０】
ここで、図２２に示すフローチャートのＳ２２０４、Ｓ２２０５、Ｓ２２０７、Ｓ２２０８、及びＳ２２０９においてそれぞれ表示される動作リスト及び図１９に示すフローチャートのＳ１９０６において実行される動作内容の一例を図２３に示す。
【０１１１】
この例では、お勧め番組情報が選択された場合に、番組開始時間が現在時刻から一時間以内であるか否かに関わらず表示される動作リストの項目は同一であるが、動作リストの中から情報選択部１８０１が動作を選択したときに、関連動作実行部１８０３が実行する動作内容が異なる。例えば、現在時刻から１０分後に開始する番組情報に対して視聴予約を選択した場合、動作関連実行部１８０３は開始時間になるとTVが自動的に起動するための動作を実行する。一方、番組開始時間までまだ１時間以上ある番組に対して視聴予約を選択した場合、番組開始時間になってユーザがまだTVを観る状況にあるかが不明であるため、番組開始時間になったら、自動的にはTVを起動せずに、アラームが鳴る様にアラームセットのための動作を実行する。また、機器情報が選択された場合、その選択された機器情報の時間属性に応じて動作リストＣ、動作リストＤ、動作リストＥのいずれかが抽出されたのち、その抽出された動作リストが表示される。
【０１１２】
動作リストの他の項目の例として、例えば選択した情報と同じ時間帯の他の番組リストを閲覧などが考えられる。情報選択部１８０１がこの動作を選択すると、関連動作実行部１８０３はＷｅｂにアクセス、あるいは番組情報記憶部１０４から情報を取得し、お勧め番組情報以外あるいはお勧め番組情報を含めた番組情報リストを情報表示部１０７に表示させる。なお、番組情報リストは既存のＥＰＧを利用してもよいし、番組情報提供装置１８００で独自に記憶している番組情報を表示してもよい。このとき表示する内容は、同じ時間帯の番組リストに限定してもよいし、その日一日分の番組リストを表示してもよい。番組情報リストからお勧め番組情報よりもユーザの好みにあった番組が見つかれば、お勧め番組情報として、入れ替えることができるようにしてもよい。また、番組情報がマッピングされていない時間にフォーカスをあて、選択できるようにした場合、選択した時間帯の番組リストを閲覧できる項目を表示し、その項目を選択するとお勧め番組情報以外の番組リストを表示する際と同じように、番組リストを表示するようにしてもよい。また、興味を引く番組情報が見つかれば、お勧め番組情報として登録できるようにしてもよい。
【０１１３】
お勧め番組情報の登録および入れ替えは、上記の流れに限らず、既存のＥＰＧなどを参照している際に、興味を引く番組情報が見つかれば、随時登録できるようにしてもよい。また、外部の機器を利用して番組情報リストを参照している際も、メールや何らかの外部情報読み取り機能により、登録および入れ替えをできるようにしてもよい。
【０１１４】
また、ユーザから番組選択操作がなくて情報選択部１８０１がお勧め番組情報中のいずれも選択しない場合でも、現在時刻取得部１０５によって取得される現在時刻に基づいて、関連動作実行部１８０３が自動的に動作を実行するようにしてもよい。この場合の情報表示部１０７の表示例を図２４に示す。
【０１１５】
お勧め番組情報の中に放送時間に現在時刻が含まれいるものがない場合、図２４（ａ）に示すように、現在時刻から１２時間先までのお勧め番組のアイコンがマッピングされた文字盤時計が表示される。そして、図２４（ｂ）に示すように現在時刻取得部１０５によって取得される現在時刻がお勧め番組の番組開始時間になると、自動的にＴＶが起動して図２４（ｃ）に示すようにＴＶが起動中である旨を表示し、ＴＶの起動が完了すると図２４（ｄ）に示すようにその番組を表示する。
【０１１６】
あるいは、お勧め番組情報の中に放送時間に現在時刻が含まれいるものがない場合は図２５（ａ）に示すように現在時刻から１２時間先までのお勧め番組のアイコンがマッピングされた文字盤時計が表示され、図２５（ｂ）に示すように現在時刻取得部１０５によって取得される現在時刻がお勧め番組の番組開始時間又はその直前の時間になると、自動的に関連動作実行部１８０３がアラーム音を発生する。また、アラーム音を発生させる代わりに図２５（ｃ）に示すようにお勧め番組の番組開始時間が来た又は来ることをユーザに知らせる文字や絵を表示してもよく、関連動作実行部１８０３が番組情報提供装置１８００自体をバイブレーションさせてもよい。あるいは、それら（アラーム音、表示、バイブレーション）の少なくとも二つを組み合わせてもよい。
【０１１７】
また、図２４や図２５に示すようにお勧め番組の番組開始時間に自動的に何らかの表示をする場合でも、お勧め番組の開始時間にユーザが他の番組を視聴中の際は、ユーザの視聴の邪魔にならないように表示を控える、または画面の一部にテロップ表示するなど、他の方法で表示するようにしてもよい。
【０１１８】
（第五実施形態）
本発明の第五実施形態に係る番組情報提供装置を含む番組情報提供システムの構成を図２６に示す。なお、図２６において図１８と同一の部分には同一の符号を付し詳細な説明を省略する。図２６に示す番組情報提供システムは、番組情報提供サーバ１０１と、番組情報提供サーバ１０１から情報を受け取る本発明の第五実施形態に係る番組情報提供装置２６００（以下、番組情報提供装置２６００という）とを有している。
【０１１９】
番組情報提供装置２６００は、図１８の番組情報提供装置１８００に、お勧め番組情報の詳細を自動的に順次切り替えて情報表示部１０７に表示させる自動情報表示部２６０１を新たに加えた構成である。
【０１２０】
なお、通信部１０２はネットワーク２００を介して番組情報提供サーバ１０１や外部の機器と通信を行っているが、赤外線通信等の無線通信を行ってもよく、その通信方式は問わない。また、本実施形態では、番組情報取得部１０３、現在時刻取得部１０５、機器情報取得部１４０１、及び関連実行部１８０３は全て単一の通信部１０２に接続されているが、通信部を複数設けてそれぞれの用途に応じて接続する通信部を変えてもよい。
【０１２１】
続いて、自動情報表示部２６０１が行う処理を図２７に示すフローチャートを参照して説明する。Ｓ２７０１では、自動情報表示部２６０１は、お勧め番組情報の詳細を自動的に切り替えて表示するか否かを判定する。なお、Ｓ２７０１の判定は、例えばユーザが番組情報提供装置に設けられたボタン等を操作することによって入力された信号に基づく判定にするとよい。そして、自動切り替え表示をする場合（Ｓ２７０１のＹＥＳ）はＳ２７０２へ進んで内部パラメータであるFの値を１に設定した後Ｓ２７０４へ進み、自動切り替え表示をしない場合はＳ２７０３へ進んで内部パラメータであるＦの値を０に設定した後Ｓ２７０４へ進む。
【０１２２】
Ｓ２７０４では、自動情報表示部２６０１は、表示内容決定部１０６が図１５に示すフローチャートのＳ１５０１〜ステップ１５０７の処理により決定した表示内容を取得する。Ｓ２７０５では、自動情報表示部２６０１は、Ｓ２７０４において取得した表示内容を情報表示部１０７に表示させて、Ｓ２７０６へ進む。なお、自動情報表示部２６０１がＳ２７０４において取得した表示内容に含まれるお勧め番組の数をＮ個とする。
【０１２３】
Ｓ２７０６では、自動情報表示部２６０１は、Fの値が１であるか否か、すなわち自動切り替え表示をするか否かを判定する。そして、Fの値が１である場合（Ｓ２７０６のＹＥＳ）はＳ２７０７へ進み、Fの値が０である場合（Ｓ２７０６のＮＯ）はＳ２７０４へ戻り自動切り替え表示を行わない。
【０１２４】
Ｓ２７０７では、自動情報表示部２６０１は、内部パラメータであるｉの値を１に設定して、Ｓ２７０８へ進む。Ｓ２７０８では、表示内容に含まれるお勧め番組情報の中からｉ番目のお勧め番組を抽出し、その抽出したお勧め番組の情報の詳細を図２８に示すようにＳ２７０５において情報を表示した表示画面の一部に表示させて、Ｓ２７０９へ進む。
【０１２５】
Ｓ２７０９では、自動情報表示部２６０１は、Ｓ２７０８の処理が終了してから３秒経過したか否かを判定する。そして、３秒経過した場合（Ｓ２７０９のＹＥＳ）はＳ２７１０へ進み、３秒経過していない場合（Ｓ２７０９のＮＯ）は時間経過待ち状態となる。
【０１２６】
Ｓ２７１０では、自動情報表示部２６０１は、ｉの値とＮの値が一致するか否かを判定する。そして、ｉの値とＮの値が一致する場合（Ｓ２７１０のＹＥＳ）はＳ２７０４へ戻り、ｉの値がＮの値よりも小さい場合（Ｓ２７１０のＮＯ）はＳ２７１１へ進む。Ｓ２７１１では、自動情報表示部２６０１は、ｉの値を一つ増やしてＳ２７０８へ戻る。
【０１２７】
なお、本実施形態では、Ｓ２７０８〜Ｓ２７１１において、画面の一部に番組情報の詳細をひとつずつ切替えて表示したが、番組情報の詳細を全画面で表示して、順次切替えていく表示方式であってもよい。また、一度に表示する番組情報の詳細は一つに限らず複数でもよい。また、本実施形態では図２８に示すように文字盤上の時計と組み合わせる表示方式で番組情報の詳細を表示したが、図２９に示すようなリスト表示を採用してもよい。
【０１２８】
また、番組情報の詳細を切り替えるタイミングは本実施形態のように一定時間毎でもよいし、ユーザが任意の時間に設定できるものでもよいし、表示する情報に対して番組情報提供サーバ１０１側あるいはユーザ自身が個々の情報に対して何らかの優先度を付加して、その優先度に基づいて番組情報の詳細を表示する時間の長さを変えてもよい。また、各番組情報の詳細を表示する回数は本実施形態のように一度だけでもよいし、ユーザが任意の回数に設定できるものでもよいし、ユーザが何らかの操作を加えるまで繰り返し表示してもよい。このときＳ２７１０において、ｉの値とＮの値が一致する場合（Ｓ２７１０のＹＥＳ）はＳ２７０４に戻る代わりに、Ｓ２７０７に戻る。
【０１２９】
また、図３０（ａ）〜図３０（ｄ）に示すように、時計の秒針が回る間にお勧め番組情報を一覧表示できるようにし、秒針が指すポイントにお勧め番組の放送時間帯がマッピング表示されていれば、秒針が指すポイントがその番組の放送時間帯マッピングエリアにある間、その番組の詳細情報を表示するようにしてもよい。すなわち、例えば番組開始時間が１４時で番組終了時間が１５時のお勧め番組がマッピングされていたならば、秒針が１０秒から１５秒の間はこのお勧め番組の詳細を表示する（図３０（ａ）参照）。このとき、同じ時間内に複数のお勧め番組がある場合、秒針の一周目は一つめの情報を、二周目では二つめの情報を提示するようにして、同じ時間内に５個の番組情報がある場合、秒針が５周すれば５個すべての詳細情報を閲覧できるようにしてもよい。あるいは、同じ時間に複数ある場合だけ、一度に表示する情報を複数にするようにしてもよい。さらに、この例では秒針を表示し、秒針がお勧め番組の放送時間帯マッピングエリア上に来たときに詳細情報を表示するようにしているが、秒針を表示せずに、例えば、１４時から１５時までの番組情報がマッピングされていた場合、１０秒から１５秒の間は文字盤上の該番組情報の枠を点滅させてもよい。また、点滅させる方法のほかに、色を変えるなど、どの番組情報の詳細を表示しているかをユーザに報知する方法であればどのような表示方法を採用してもよい。
【０１３０】
また、本実施形態では順次表示する情報は表示内容決定部１０６によって表示対象として選ばれたお勧め番組情報のみを対象にしているが、番組情報記憶部１０４に記憶されている番組情報すべてを対象にしてもよいし、番組情報記憶部１０４に記憶されている番組情報のうちユーザ所望の時間内に開始する番組情報のみを対象にしてもよいし、この他何らかの条件により選択された番組情報を対象にしてもよい。
【０１３１】
さらに、表示する番組の詳細情報の内容は、番組情報記憶部１０４で記憶されている情報である、放送時間、チャンネル番号、番組タイトル、番組が属するジャンル、番組を示すアイコン、出演者、番組概要および番組ＵＲＬ全てでもよいし、このうちのいくつかの情報に限定してもよい。さらに、番組の予告編などがあれば、それを表示してもよい。また、詳細情報の表示中に例えばユーザが番組情報提供装置に設けられたボタン等を操作することによって入力された信号に基づいて詳細を表示していた番組の予告編を表示するようにしてもよいし、あるいは詳細情報を表示している番組に関する動作リストを関連動作抽出部１８０３が抽出し、その動作リストを表示し、関連動作実行部１８０３によりユーザが所望する動作が実行できるようにしてもよい。
【０１３２】
上記第１実施形態〜第５実施形態において説明した番組情報提供装置がカレンダー機能を有するようにしてもよい。例えば、現在時刻取得部１０５が内部メモリにカレンダーのデータを格納していればよい。
【０１３３】
ユーザが番組情報提供装置に設けられたボタン等を操作することによって入力された信号に基づいて、現在時刻取得部１０５がカレンダーのデータからユーザ所望の日にちを選択し、図３１に示す表示画面のように、表示内容決定部１０６で決定されたお勧め番組情報のうち現在時刻取得部１０６によって選択された日にちが番組放送日であるお勧め番組情報のみが表示されるようにしてもよい。
【０１３４】
また、図３１に示す表示画面のように、カレンダーと現在時刻取得部１０５によって選択された一日分のお勧め番組情報とを表示した場合、放送時間が何時でどんな内容の番組であるか把握するのが困難である場合があるため、図３２に示す表示画面のように、画面一部に、放送時間やタイトルなどの副次情報をテロップ表示させてもよい。
【０１３５】
さらに、本発明に係る番組情報提供装置は、図５に示すように時計の文字盤上にお勧め番組のアイコンをマッピングした表示方式から図３１に示すようなカレンダー機能との連動表示の表示方式に、あるいは逆にカレンダー機能との連動表示の表示方式から文字盤の時計にお勧め番組のアイコンをマッピングした表示方式に、表示モードを切り替えることができるようにしてもよい。
【０１３６】
また、本発明に係る番組情報提供装置において、情報表示部１０７がお勧め番組情報および機器情報以外の情報も付加的に表示してもよい。例えば、本発明に係る番組情報提供装置を図３３に示す携帯電話装置に適用した場合、携帯電話装置への着信履歴情報をお勧め番組情報および機器情報と共に表示してもよい。また、ユーザが携帯電話装置でＴＶ番組を視聴している際に電話を着信し、その着信に応対すると、関連動作実行部１８０３により、自動的に視聴していたＴＶ番組を録画する機能を備えていてもよいし、電話の応対している間に、視聴予約しておいた番組、あるいはお勧め番組の開始時間を過ぎると、自動的に録画する機能を備えてもよい。情報表示部１０７は、この他、ユーザのスケジュールなどをお勧め番組情報および機器情報と共に表示するようにしてもよい。
【０１３７】
本発明に係る番組情報提供装置は、例えば図３３に示す携帯電話装置、図３４に示すようなＰＤＡ、図３５に示すＴＶ等に適用することができる。また、本発明に係る番組情報提供装置をＴＶに適用した場合、図３５に示すように表示内容決定部１０６によって決定された表示内容を表示画面の一部にのみに表示してもよく、図３６に示すように表示内容決定部１０６によって決定された表示内容を表示画面全体に表示してもよい。
【０１３８】
上記第１実施形態〜第５実施形態において説明した番組情報提供装置は、ハードウェアである専用装置で実現することが可能なだけでなく、汎用コンピュータおよびその汎用コンピュータ上で動作する番組情報提供用ソフトウェアによって実現することも可能である。
【０１３９】
図３７に示す汎用コンピュータは、ネットワークインタフェース３７０１と、ＣＤ−ＲＯＭドライブ３７０２と、ＣＰＵ３７０３と、ハードディスク３７０４と、外部アンテナ３７０５に接続されるＴＶチューナ３７０６と、フレキシブルディスクドライブ３７０７と、モニタ３７０８と、メモリ３７０９と、入力インタフェース３７１０と、キーボードやマウスなどの入力装置３７１１とによって構成されている。なお、図３７に示す汎用コンピュータを番組情報提供装置１００、番組情報提供装置１１００、又は番組情報提供装置１４００として動作させるのであれば、ＴＶチューナ３７０６を省いても構わない。
【図面の簡単な説明】
【０１４０】
【図１】は、本発明の第一実施形態に係る番組情報提供装置を含む番組情報提供システムの構成を示す図である。
【図２】は、本発明の第一実施形態に係る番組情報提供装置内の番組情報取得部が行う処理のフローチャートである。
【図３】は、本発明の第一実施形態に係る番組情報提供装置内の番組情報記憶部で記憶される番組情報の属性を示す図である。
【図４】は、本発明の第一実施形態に係る番組情報提供装置内の表示内容決定部が行う処理のフローチャートである。
【図５】は、本発明の第一実施形態に係る番組情報提供装置内の情報表示部の表示例を示す図である。
【図６】は、本発明の第一実施形態に係る番組情報提供装置内の情報表示部の表示例を示す図である。
【図７】は、本発明の第一実施形態に係る番組情報提供装置内の情報表示部の表示例を示す図である。
【図８】は、本発明の第一実施形態に係る番組情報提供装置内の情報表示部の表示例を示す図である。
【図９】は、本発明の第一実施形態に係る番組情報提供装置内の情報表示部の表示例を示す図である。
【図１０】は、本発明の第一実施形態に係る番組情報提供装置内の情報表示部の表示例を示す図である。
【図１１】は、本発明の第二実施形態に係る番組情報提供装置を含む番組情報提供システムの構成を示す図である。
【図１２】は、本発明の第二実施形態に係る番組情報提供装置内のユーザプロファイル記憶部に記憶されるユーザプロファイルの一例を示す図である。
【図１３】は、本発明の第二実施形態に係る番組情報提供装置内の番組情報取得部及び表示内容決定部が行う処理のフローチャートである。
【図１４】は、本発明の第三実施形態に係る番組情報提供装置を含む番組情報提供システムの構成を示す図である。
【図１５】は、本発明の第三実施形態に係る番組情報提供装置内の表示内容決定部が行う処理のフローチャートである。
【図１６】は、本発明の第三実施形態に係る番組情報提供装置内の機器情報記憶部で記憶される機器情報の一例を示す図である。
【図１７】は、本発明の第三実施形態に係る番組情報提供装置内の情報表示部の表示例を示す図である。
【図１８】は、本発明の第四実施形態に係る番組情報提供装置を含む番組情報提供システムの構成を示す図である。
【図１９】は、本発明の第四実施形態に係る番組情報提供装置内の情報表示部、情報選択部、関連動作抽出部、及び関連動作実行部が行う処理のフローチャートである。
【図２０】は、本発明の第四実施形態に係る番組情報提供装置内の情報表示部の表示例を示す図である。
【図２１】は、本発明の第四実施形態に係る番組情報提供装置内の情報表示部の表示例を示す図である
【図２２】は、本発明の第四実施形態に係る番組情報提供装置内の関連動作抽出部が行う処理のフローチャートである。
【図２３】は、図２２のフローチャート動作により表示される動作リスト及び図１９のフローチャート動作により実行される動作内容の一例を示す図である。
【図２４】は、本発明の第四実施形態に係る番組情報提供装置内の情報表示部の表示例を示す図である。
【図２５】は、本発明の第四実施形態に係る番組情報提供装置内の情報表示部の表示例を示す図である。
【図２６】は、本発明の第五実施形態に係る番組情報提供装置を含む番組情報提供システムの構成を示す図である。
【図２７】は、本発明の第五実施形態に係る番組情報提供装置内の自動情報表示部が行う処理のフローチャートである。
【図２８】は、本発明の第五実施形態に係る番組情報提供装置内の情報表示部の表示例を示す図である。
【図２９】は、本発明の第五実施形態に係る番組情報提供装置内の情報表示部の表示例を示す図である。
【図３０】は、本発明の第五実施形態に係る番組情報提供装置内の情報表示部の表示例を示す図である。
【図３１】は、本発明の第五実施形態に係る番組情報提供装置内の情報表示部の表示例を示す図である。
【図３２】は、本発明の第五実施形態に係る番組情報提供装置内の情報表示部の表示例を示す図である。
【図３３】は、本発明に係る番組情報提供装置である携帯電話装置の外観図である。
【図３４】は、本発明に係る番組情報提供装置であるＰＤＡの外観図である。
【図３５】は、本発明に係る番組情報提供装置であるＴＶの外観図である。
【図３６】は、本発明に係る番組情報提供装置であるＴＶの外観図である。
【図３７】は、番組情報提供用ソフトウェアと協働することで本発明に係る番組情報提供装置として動作する汎用コンピュータの構成例を示す図である。
【符号の説明】
【０１４１】
１０２    通信部
１０３    番組情報取得部
１０４    番組情報記憶部
１０５    現在時刻取得部
１０６    表示内容決定部
１０７    情報表示部
１１０１    ユーザプロファイル記憶部
１１０２    プロファイル入力部
１４０１    機器情報取得部
１４０２    機器情報記憶部
１８０１    情報選択部
１８０２    関連動作抽出部
１８０３    関連動作実行部
２６０１    自動情報表示部
【図１】
2005252970.tif 000003
【図２】
2005252970.tif 000004
【図３】
2005252970.tif 000005
【図４】
2005252970.tif 000006
【図５】
2005252970.tif 000007
【図６】
2005252970.tif 000008
【図７】
2005252970.tif 000009
【図８】
2005252970.tif 000010
【図９】
2005252970.tif 000011
【図１０】
2005252970.tif 000012
【図１１】
2005252970.tif 000013
【図１２】
2005252970.tif 000014
【図１３】
2005252970.tif 000015
【図１４】
2005252970.tif 000016
【図１５】
2005252970.tif 000017
【図１６】
2005252970.tif 000018
【図１７】
2005252970.tif 000019
【図１８】
2005252970.tif 000020
【図１９】
2005252970.tif 000021
【図２０】
2005252970.tif 000022
【図２１】
2005252970.tif 000023
【図２２】
2005252970.tif 000024
【図２３】
2005252970.tif 000025
【図２４】
2005252970.tif 000026
【図２５】
2005252970.tif 000027
【図２６】
2005252970.tif 000028
【図２７】
2005252970.tif 000029
【図２８】
2005252970.tif 000030
【図２９】
2005252970.tif 000031
【図３０】
2005252970.tif 000032
【図３１】
2005252970.tif 000033
【図３２】
2005252970.tif 000034
【図３３】
2005252970.tif 000035
【図３４】
2005252970.tif 000036
【図３５】
2005252970.tif 000037
【図３６】
2005252970.tif 000038
【図３７】
2005252970.tif 000039